(57)【要約】      （修正有）【課題】迅速且つ簡単にCD/DVDドライブＡ/ FDドライブＢを装着することができるCD/DVDドライブ/ FDドライブ定位嵌合フックを提供する。【解決手段】  コンピューター本体のフレーム１とフレーム体１１．１２との間に形成されるCD/DVDドライブ嵌入槽１１１ /FDドライブ嵌入槽１１２内にCD/DVDドライブＡ/FDドライブＢを装着する時、工具を一切必要とせず、フレーム体１１．１２周辺の嵌合フック２により迅速且つ簡単にCD/DVDドライブＡ/ FDドライブＢを装着することができる。【選択図】図３
0003120459.tif 000002
【実用新案登録請求の範囲】
【請求項１】
フレーム(1)とフレーム体(11)(12)との間に形成されるCD/DVDドライブ嵌入槽(111) FDドライブ嵌入槽(112)内にCD/DVDドライブ(A)/
FDドライブ(B)を装着でき、
フレーム(1)の２つのフレーム体(11)(12)はそれぞれ両側板上に２つのフック(13)と前後に少なくとも１つずつのフック孔(14)とを有し、底板上に少なくとも１つの三角形状のフック体(15)を有し、
彎曲状の嵌合フック(2)がフレーム体(11)(12)上にフック定位され、その定位構造は、嵌合フック(2)両端の水平ロッド(21)がフック(13)上に枢軸設置され、２つの水平ロッド(21)外側のフック部(22)がフレーム体(11)(12)の各フック孔(14)内に挿入され、嵌合フック(2)中間部の引っ張り部(23)両側の引っ掛かり部(231)がフレーム体(11)(12)のフック体(15)上にフック定位され、
CD/DVDドライブ(A)及びFDドライブ(B)をそれぞれCD/DVDドライブ嵌入槽(111)．FDドライブ嵌入槽(112)内に挿入する時、嵌合フック(2)の引っ張り部(23)に力を加えることにより、両側のフック部(22)がそれぞれフレーム体(11)(12)のフック孔(14)内に嵌入し、且つ、CD/DVDドライブ(A)
FDドライブ(B)の嵌入孔(A1)(B1)内に嵌入し、引っ張り部(23)の両側の引っ掛かり部(231)がそれぞれフレーム体(11)(12)のフック体(15)にフック定位されることにより、CD/DVDドライブ(A)
FDドライブ(B)を固定することができることを特徴とするCD/DVDドライブ/ FDドライブ定位嵌合フック。
【考案の詳細な説明】
【技術分野】
【０００１】
本考案は一種のCD/DVDドライブ/ FDドライブ定位嵌合フックを提供する構造により、工具を一切必要とせず、迅速且つ簡単にCD/DVDドライブ(A)/
FDドライブ(B)を装着することができるCD/DVDドライブ/ FDドライブ定位嵌合フックに関するものである。
【背景技術】
【０００２】
従来のCD/DVDドライブ/ FDドライブのコンピューター本体への装着方法は、ネジ固定式である為、装着或いは、取り外しにはドライバーを必要とし、労力と時間の無駄使いであり、又、装着或いは取り外し時、ねじをなくしてしまうという欠点がある。
【考案の開示】
【考案が解決しようとする課題】
【０００３】
本考案は、上記従来の欠点を解決することを課題とする。
【課題を解決するための手段】
【０００４】
本考案のCD/DVDドライブ/ FDドライブ定位嵌合は、フックフレーム(1)とフレーム体(11)(12)との間に形成されるCD/DVDドライブ嵌入槽(111)
FDドライブ嵌入槽(112)内にCD/DVDドライブ(A)/ FDドライブ(B)を装着でき、  フレーム(1)の２つのフレーム体(11)(12)はそれぞれ両側板上に２つのフック(13)と前後に少なくとも１つずつのフック孔(14)とを有し、底板上に少なくとも１つの三角形状のフック体(15)を有し、彎曲状の嵌合フック(2)がフレーム体(11)(12)上にフック定位され、その定位構造は、嵌合フック(2)両端の水平ロッド(21)がフック(13)上に枢軸設置され、２つの水平ロッド(21)外側のフック部(22)がフレーム体(11)(12)の各フック孔(14)内に挿入され、嵌合フック(2)中間部の引っ張り部(23)両側の引っ掛かり部(231)がフレーム体(11)(12)のフック体(15)上にフック定位され、CD/DVDドライブ(A)及びFDドライブ(B)をそれぞれCD/DVDドライブ嵌入槽(111)．FDドライブ嵌入槽(112)内に挿入する時、嵌合フック(2)の引っ張り部(23)に力を加えることにより、両側のフック部(22)がそれぞれフレーム体(11)(12)のフック孔(14)内に嵌入し、且つ、CD/DVDドライブ(A)
FDドライブ(B)の嵌入孔(A1)(B1)内に嵌入し、引っ張り部(23)の両側の引っ掛かり部(231)がそれぞれフレーム体(11)(12)のフック体(15)にフック定位されることにより、CD/DVDドライブ(A)
FDドライブ(B)を固定することができることを特徴とする。
【考案の効果】
【０００５】
主に工具を一切必要とせず、フレーム体(11)(12)周辺の嵌合フック(2)により迅速且つ簡単にCD/DVDドライブ(A)/
FDドライブ(B)を装着することができる。
【考案を実施するための最良の形態】
【０００６】
本考案の構造の特徴及びその効果を以下に実施例とそれに合わせた図式及び詳細な説明を列挙し、本考案の長所を詳述する。
【０００７】
図１が示す如く、コンピューター本体のフレーム(1)は横式で（縦式でもよい）、該フレーム(1)とフレーム体(11)(12)との間に形成されるCD/DVDドライブ嵌入槽(111)
FDドライブ嵌入槽(112)内にCD/DVDドライブ(A)/ FDドライブ(B)を装着でき（図３）、該CD/DVDドライブ(A)と該 FDドライブ(B)の両側にはそれぞれ２つの嵌入孔(A1)(B1)が設けられ、その主な特徴は、
図１が示す如く、フレーム(1)の２つのフレーム体(11)(12)はそれぞれ両側板上に２つのフック(13)と前後に少なくとも１つずつのフック孔(14)とを有し、底板上に少なくとも１つの三角形状のフック体(15)を有し、
図２、３が示す如く、彎曲状の嵌合フック(2)がフレーム体(11)(12)上にフック定位され、その定位構造は、嵌合フック(2)両端の水平ロッド(21)がフック(13)上に枢軸設置され、２つの水平ロッド(21)外側のフック部(22)がフレーム体(11)(12)の各フック孔(14)内に挿入され、嵌合フック(2)中間部の引っ張り部(23)両側の引っ掛かり部(231)がフレーム体(11)(12)のフック体(15)上にフック定位される。
【０００８】
図４はCD/DVDドライブ(A)及びFDドライブ(B)がそれぞれCD/DVDドライブ嵌入槽(111)．FDドライブ嵌入槽(112)内に挿入された状態であるが、まだ嵌合フック(2)によりフックされていない状態を示した図であり、
【０００９】
図５は嵌合フック(2)の引っ張り部(23)に力を加えることにより、両側のフック部(22)がそれぞれフレーム体(11)(12)のフック孔(14)内に嵌入し、且つ、CD/DVDドライブ(A)
FDドライブ(B)の嵌入孔(A1)(B1)内に嵌入し、引っ張り部(23)の両側の引っ掛かり部(231)がそれぞれフレーム体(11)(12)のフック体(15)にフック定位されることにより、CD/DVDドライブ(A)
FDドライブ(B)を固定することができる。
【００１０】
CD/DVDドライブ(A)/
FDドライブ(B)の嵌入孔(A1)(B1)の位置を変える時は（指等で引っ張り部(23)を引っ張り）、引っ張り部(23)両側の引っ掛かり部(231)をフック体(15)から解除した状態にすることにより、水平ロッド(21)を(フック(13)上を)移動させることができ、水平ロッド(21)を移動させた後、フック部(22)を別のフック孔(14)内に嵌入させ、引っ張り部(23)の両側の引っ掛かり部(231)を別のフック体(15)にフック定位させる。
【００１１】
上記構造により本考案のCD/DVDドライブ(A)/ FDドライブ(B)定位嵌合フックは工具を一切必要とせず、フレーム体(11)(12)周辺の嵌合フック(2)により迅速且つ簡単にCD/DVDドライブ(A)/
FDドライブ(B)を装着することができる。
【図面の簡単な説明】
【００１２】
【図１】本考案のフレーム(1)の立体図である。
【図２】本考案の嵌合フック(2)の外観図である。
【図３】本考案の構造図である。
【図４】本考案の使用状態参考図の一である。
【図５】本考案の使用状態参考図の二である。
【符号の説明】
【００１３】
A       
CD/DVDドライブ
B        FDドライブ
A1, B1    嵌入孔
1        フレーム
11, 12     フレーム体
111       CD/DVDドライブ嵌入槽
112       FDドライブ嵌入槽
13        フック
14        フック孔
15        フック体
2        
嵌合フック
21        水平ロッド
22        フック部
23        引っ張り部
231       引っ掛かり部
【図１】
0003120459.tif 000003
【図２】
0003120459.tif 000004
【図３】
0003120459.tif 000005
【図４】
0003120459.tif 000006
【図５】
0003120459.tif 000007